(57)【要約】【課題】バッテリの接続端子部への埃や水の浸入を防ぐ【解決手段】バッテリ式の穿孔機１０において、穿孔工具４４を回転駆動するためのモータ４８を有する穿孔駆動部１４と、穿孔駆動部１４を上下動可能に支持する穿孔機本体部１２と、穿孔機本体部１２に取り付けられたバッテリカバー３０とを備えるようにする。穿孔機本体部１２にはバッテリ１６を取り付けるためのバッテリ取付部２８が設けられている。バッテリカバー３０は、バッテリ取付部２８に取り付けられたバッテリ１６に対する後退位置と前進位置との間で移動可能となっていて、前進位置においては穿孔機本体部１２とバッテリ１６との間にできる隙間の少なくとも一部を覆うようにされている。【選択図】        図１
2014231118.tif 000002
【特許請求の範囲】
【請求項１】
穿孔工具を回転駆動するためのモータを有する穿孔駆動部と、
前記モータに電力を供給するバッテリが取り付けられるバッテリ取付部を有し、前記穿孔工具を被加工物に対して近づけたり離したりするように前記穿孔駆動部を上下動可能に支持する穿孔機本体部と、
前記穿孔機本体部に取り付けられたバッテリカバーであって、前記バッテリ取付部に取り付けられた前記バッテリに対する後退位置と前進位置との間で移動可能とされ、前記前進位置においては、前記穿孔機本体部と前記バッテリとの間にできる隙間の少なくとも一部を覆うようにされたバッテリカバーと、を備える穿孔機。
【請求項２】
前記バッテリカバーは、前記前進位置にあるときに、当該バッテリカバーの少なくとも一部が、前記バッテリ取付部に取り付けられた前記バッテリが当該バッテリ取付部から取り外されるときの前記バッテリの移動経路上に位置するようにされており、前記バッテリカバーが前記前進位置にある状態では当該バッテリを前記バッテリ取付部から取り外せないようにされた、請求項１に記載の穿孔機。
【請求項３】
前記穿孔機本体部は前記バッテリを前記バッテリ取付部から上方に動かすことにより前記バッテリ取付部から取り外せるような構造とされており、前記バッテリカバーは、前記前進位置にあるときに、前記穿孔機本体部と前記バッテリとの間にできる隙間をその上方位置から覆うようにした、請求項２に記載の穿孔機。
【請求項４】
前記バッテリ取付部は、前記バッテリを上下方向で案内する上下方向に延びるバッテリガイドを有しており、前記バッテリは、該バッテリガイドに沿って下降することにより前記バッテリ取付部に取り付けられ、上昇することにより前記バッテリ取付部から取り外されるようにされている、請求項３に記載の穿孔機。
【請求項５】
前記バッテリカバーが、前記穿孔機本体部に対して前記後退位置と前記前進位置との間で摺動可能に取り付けられている、請求項１乃至４の何れか一項に記載の穿孔機。
【請求項６】
前記バッテリカバーが係止部を有し、
前記穿孔機本体部が、前記バッテリカバーが前記後退位置にあるときに前記係止部と係合して前記バッテリカバーの前記摺動方向での移動を抑止する第１受部と、前記バッテリカバーが前記前進位置にあるときに前記係止部と係合して前記バッテリカバーの前記摺動方向での移動を抑止する第２受部とを有するようにされた、請求項５に記載の穿孔機。
【請求項７】
前記バッテリカバーが、前記摺動方向に延びる弾性変形可能なアーム部を有し、前記係止部が前記アーム部の先端に設けられている、請求項５に記載の穿孔機。
【請求項８】
前記穿孔機本体部に配置され、前記バッテリカバーが前記後退位置と前記前進位置との間で移動したことを検知するバッテリカバー位置検出手段をさらに備える、請求項１乃至７の何れか一項に記載の穿孔機。
【請求項９】
前記バッテリカバー位置検出手段がリミットスイッチを有し、
前記バッテリカバーは、前記後退位置と前記前進位置との間で移動したときに、前記リミットスイッチのＯＮ／ＯＦＦを切り替えるようにされている、請求項８に記載の穿孔機。
【請求項１０】
前記穿孔機本体部と前記バッテリカバーとの間に配置されたスプリングをさらに備え、該スプリングが前記バッテリカバーを前記後退位置から前記前進位置に向かう方向に付勢するようにされた、請求項１乃至９の何れか一項に記載の穿孔機。
【発明の詳細な説明】
【技術分野】
【０００１】
本発明はバッテリにより駆動される可搬型の穿孔機に関する。
【背景技術】
【０００２】
可搬型の穿孔機は、例えば特許文献１に記載されているように、本体フレームと、ドリルや環状カッター等の穿孔工具を回転駆動するモータを有し本体フレームに対して上下動するように取り付けられた穿孔駆動部と、本体フレームの下部に設けられていて当該穿孔機を被加工物に対して取り外し可能に固定保持する固定部とを備えている。本体フレームは、内部空間を有し、その内部空間には穿孔駆動部のモータ等を制御する駆動制御部や電気配線等が配置される。このような可搬型の穿孔機は、埃や切粉が舞う中で使用されることが多く、場合によっては屋外において雨の降る中で使用されることもあるため、駆動制御部等の電気部品は本体フレームの内部空間内に外部から遮断された状態で配置されるようになっている。
【０００３】
近年は、例えば特許文献２にあるように、この種の穿孔機の可搬性を高めるために穿孔工具の駆動用にバッテリを使用するものが用いられるようになってきている。バッテリ式の穿孔機では、ある程度の時間使用をするとバッテリの電圧が低下するので充電済みの別のバッテリと交換しなければならなくなる。特に、長時間連続して使用する場合には頻繁なバッテリ交換が要求されるため、バッテリの取り付け・取り外し作業は比較的に簡易に行えるようになっていることが望まれる。一方、バッテリの取り付けを簡易に行えるようにすると外部に露呈するバッテリの接続端子に対する埃や雨からの保護が十分でなくなり、埃や雨によってバッテリが短絡することが起こり得る。
【先行技術文献】
【特許文献】
【０００４】
【特許文献１】実公平７−３５６９８号
【特許文献２】米国特許出願公開第２００９／００２８６５３号明細書
【発明の概要】
【発明が解決しようとする課題】
【０００５】
そこで本発明は、バッテリを用いた穿孔機であって、埃や雨等からバッテリの接続端子を保護するようにした穿孔機を提供することを目的とする。
【課題を解決するための手段】
【０００６】
すなわち本発明は、
穿孔工具を回転駆動するためのモータを有する穿孔駆動部と、
前記モータに電力を供給するバッテリが取り付けられるバッテリ取付部を有し、前記穿孔工具を被加工物に対して近づけたり離したりするように前記穿孔駆動部を上下動可能に支持する穿孔機本体部と、
前記穿孔機本体部に取り付けられたバッテリカバーであって、前記バッテリ取付部に取り付けられた前記バッテリに対する後退位置と前進位置との間で移動可能とされ、前記前進位置においては、前記穿孔機本体部と前記バッテリとの間にできる隙間の少なくとも一部を覆うようにされたバッテリカバーと、を備える穿孔機を提供する。
【０００７】
当該穿孔機においては、穿孔機本体部とバッテリとの間にできる隙間をバッテリカバーが覆うようになっているので、該隙間から埃や水が浸入してバッテリの端子間が短絡する危険性を低減することが可能となる。尚、本明細書及び特許請求の範囲の記載において「上下」とあるのは、本願発明に係る穿孔機の構成要件の位置的相対的関係を分かりやすくするために使用されるものであり、絶対空間における上下を意味するものではない。また、「バッテリに対する後退位置と前進位置との間で移動可能」とは、バッテリから離れた位置とバッテリに近づいた位置との間で移動可能であることを意味しており、当該穿孔機の前後方向での移動に限定するものではない。また後退位置と前進位置との間の移動経路は、直線的なものに限らずどのような経路であってもよい。
【０００８】
好ましくは、前記バッテリカバーは、前記前進位置にあるときに、当該バッテリカバーの少なくとも一部が、前記バッテリ取付部に取り付けられた前記バッテリが当該バッテリ取付部から取り外されるときの前記バッテリの移動経路上に位置するようにされており、前記バッテリカバーが前記前進位置にある状態では当該バッテリを前記バッテリ取付部から取り外せないようにすることができる。
【０００９】
バッテリカバーが前進位置にある状態ではバッテリを取り外すことができなくなっているので、バッテリが不用意に外れてしまうことを防止することが可能となる。
【００１０】
具体的には、前記穿孔機本体部は前記バッテリを前記バッテリ取付部から上方に動かすことにより前記バッテリ取付部から取り外せるような構造とされており、前記バッテリカバーは、前記前進位置にあるときに、前記穿孔機本体部と前記バッテリとの間にできる隙間をその上方位置から覆うようにすることができる。
【００１１】
より具体的には、前記バッテリ取付部は、前記バッテリを上下方向で案内する上下方向に延びるバッテリガイドを有しており、前記バッテリは、該バッテリガイドに沿って下降することにより前記バッテリ取付部に取り付けられ、上昇することにより前記バッテリ取付部から取り外されるようにすることができる。
【００１２】
このようにバッテリが上方に動かすことにより取り外される構造となっているときには、穿孔機本体部とバッテリとの間の隙間が上下方向に延在することになり、該隙間への埃や水の浸入が特に発生しやすい。このような状況においても、バッテリカバーが該隙間を上方位置から覆うようになっているので、該隙間への埃等の侵入を効果的に防ぐことが可能となる。
【００１３】
さらに具体的には、前記バッテリカバーが、前記穿孔機本体部に対して前記後退位置と前記前進位置との間で摺動可能に取り付けられているようにすることができる。
【００１４】
好ましくは、前記バッテリカバーが係止部を有し、
前記穿孔機本体部が、前記バッテリカバーが前記後退位置にあるときに前記係止部と係合して前記バッテリカバーの前記摺動方向での移動を抑止する第１受部と、前記バッテリカバーが前記前進位置にあるときに前記係止部と係合して前記バッテリカバーの前記摺動方向での移動を抑止する第２受部とを有するようにすることができる。
【００１５】
より好ましくは、前記バッテリカバーが、前記摺動方向に延びる弾性変形可能なアーム部を有し、前記係止部が前記アーム部の先端に設けられているようにすることができる。
【００１６】
バッテリカバーの係止部が穿孔機本体部の第１及び第２受部に係合することにより、バッテリカバーを後退位置及び前進位置に係止しておくことができるので、バッテリカバーが不用意に移動してしまうことを防止することが可能となる。
【００１７】
好ましくは、前記穿孔機本体部に配置され、前記バッテリカバーが前記後退位置と前記前進位置との間で移動したことを検知するバッテリカバー位置検出手段をさらに備えるようにすることができる。
【００１８】
より好ましくは、前記バッテリカバー位置検出手段がリミットスイッチを有し、
前記バッテリカバーは、前記後退位置と前記前進位置との間で移動したときに、前記リミットスイッチのＯＮ／ＯＦＦを切り替えるようにすることができる。
【００１９】
リミットスイッチによりバッテリカバーが前進位置から後退位置に移動したことを検知することができるので、バッテリカバーが前進位置にないときには、バッテリが正常位置に取り付けられていない又はバッテリが取り外されようとしていると判断することができ、そのような場合に操作者に対して警告をしたりモータを駆動できないようにしたりするなどの安全措置を取ることが可能となる。
【００２０】
好ましくは、前記穿孔機本体部と前記バッテリカバーとの間に配置されたスプリングをさらに備え、該スプリングが前記バッテリカバーを前記後退位置から前記前進位置に向かう方向に付勢するようにすることができる。
【００２１】
スプリングの付勢力によりバッテリカバーは前進位置に保持されるので、バッテリカバーが不用意に後退位置に向かって移動してしまうことを防止することが可能となる。
【００２２】
以下、本発明に係る穿孔機の実施形態を添付図面に基づき説明する。
【図面の簡単な説明】
【００２３】
【図１】本発明の一実施形態に係る穿孔機の左側面側の前方斜視図である。
【図２】図１に示す穿孔機の右側面側の前方斜視図である。
【図３】図１に示す穿孔機の部分断面図である。
【図４】穿孔機本体部の分解図である。
【図５】図１に示す穿孔機のバッテリが外された状態の後方斜視図である。
【図６】バッテリの前面を示す斜視図である。
【図７】図１に示す穿孔機のバッテリカバーが後退位置にある状態の上方斜視図である。
【図８】図１に示す穿孔機のバッテリカバーが前進位置にある状態の上方斜視図である。
【図９Ａ】図１に示す穿孔機が備えるバッテリカバーの上面図である。
【図９Ｂ】図９Ａに示すバッテリカバーの側面図である。
【図１０】バッテリカバーが後退位置にある状態の穿孔機の上面部分断面図である。
【図１１】バッテリカバーが前進位置にある状態の穿孔機の上面部分断面図である。
【図１２】別の実施形態に係るバッテリカバーの下面図である。
【図１３】さらに別の実施形態に係るバッテリカバーの後方斜視図である。
【図１４】図１３のバッテリカバーを備える穿孔機の上面部分断面図である。
【図１５】図１に示す穿孔機の穿孔駆動部を穿孔機本体部から分離した状態の斜視図である。
【図１６】図１５に示す穿孔駆動部の別の角度からの斜視図である。
【図１７】バッテリハウジングの左側部分を示す斜視図である。
【発明を実施するための形態】
【００２４】
本発明の一実施形態に係る穿孔機１０は、図１乃至図５に示すように、穿孔工具（図示の例では環状カッター）４４を回転駆動するためのモータ４８を有する穿孔駆動部１４と、モータ４８に電力を供給するバッテリ１６が取り付けられるバッテリ取付部２８を有し前記穿孔工具４４を被加工物に対して近づけたり離したりするように穿孔駆動部１４を上下動可能に支持する穿孔機本体部１２と、を備えたバッテリ式の可搬型の穿孔機１０である。この穿孔機１０は、穿孔機本体部１２の底部位置に取り付けた電磁石式固定部１８により、被加工物の所定の穿孔作業位置に固定された状態で、穿孔駆動部１４の下端に取り付けられた穿孔工具４４をモータ４８により回転駆動し、穿孔機本体部１２に取り付けられた送りハンドル６６を回転させてラック６４とピニオン６５とからなるギア装置により穿孔駆動部１４を穿孔機本体部１２に対して下方に移動させることにより、穿孔工具４４による被加工物への穿孔加工を行うものである。
【００２５】
穿孔機本体部１２は、図３及び図４に示すように、穿孔駆動部１４を上下方向で移動可能に支持するフレーム２０と、フレーム２０に取り付けられるバッテリハウジング２２とを有する。より具体的には、フレーム２０は、穿孔駆動部１４が取り付けられる前面壁部２０−１及び電磁石式固定部１８が取り付けられる下面壁部２０−２によりＬ型をなしている。このＬ型をなすフレーム２０に取り付けられたバッテリハウジング２２は、その上部後方にバッテリ１６を着脱可能に保持するように構成されている。フレーム２０は、穿孔作業中に大きな負荷がかかる穿孔駆動部１４と電磁石式固定部１８とを支持するのに十分な強度を有する必要があり、本実施形態ではアルミニウム製としてその強度を確保している。一方、バッテリハウジング２２は、主にバッテリ１６を支持するためのものであるため、樹脂製として装置全体の軽量化を図っている。また、バッテリハウジング２２を樹脂製とすることにより、バッテリ１６の雌型接続端子１６−５（図６）が触れても短絡することがないようにもなっている。なお、ここでいう「Ｌ型をなしている」とは、フレーム２０の構造の中にＬ字状の部分が構成されていることを意味し、例えば、下面壁部２０−２の一部が前面壁部２０−１よりもさらに前方にまで延在していて全体としての形状がＬ字状ではない場合であっても、そのフレームの構造の中にＬ字状の部分が構成されているのであれば、そのようなフレームもこの「Ｌ型をなしている」フレームに含まれることを意味している。
【００２６】
図４に示すように、フレーム２０には、前面壁部２０−１と下面壁部２０−２との右側の縁の間に設けられた右側リブ２０−３と左側の縁の間に設けられた左側リブ２０−４とが設けられている。なお、本明細書において「右側」及び「左側」とは穿孔機１０を前から見たときの方向を意味する。この左右のリブ２０−３、２０−４により穿孔駆動部１４を支えるフレーム２０の強度を向上させるようにしている。左右のリブ２０−３、２０−４の上端部分の間には、左右の側面２０−１０、２０−１１の間で延びるハンドル取付用穴２０−８が形成されている。このハンドル取付用穴２０−８の中には、作業者が穿孔駆動部１４を上下動させるために回転操作する送りハンドル６６が取り付けられるシャフト２３−１と、送りハンドル６６によるシャフトの回転を穿孔駆動部１４の上下動に変換するためのピニオン６５（図３，図１５）を収納する円筒状のギア機構部２３とが設けられている。
【００２７】
バッテリハウジング２２は、中央部分で分割された右側部分２２−１と左側部分２２−２とからなっている。この右側部分２２−１と左側部分２２−２は、フレーム２０を左右両側から挟み込むようにしてフレーム２０に取り付けられる。バッテリハウジング２２がフレーム２０に取り付けられると、バッテリハウジング２２とフレーム２０との間には内部空間２４（図３）が形成される。この内部空間２４内の左右のリブ２０−３、２０−４の間にはさまれた位置には、駆動制御回路３６が前面壁部２０−１と並行な向きで前面壁部２０−１の後面に取り付けられている（図４）。この駆動制御回路３６は、バッテリ１６から穿孔駆動部１４のモータ４８や電磁石式固定部１８内の電磁石１８−１に供給される電力を制御する。
【００２８】
バッテリハウジング２２には、フレーム２０の左右のリブ２０−３、２０−４のそれぞれに形成された円形の係合凹部２０−９に係合する６つの突起が円形状に並んだ係合突起部２２−９が形成されており、バッテリハウジング２２とフレーム２０との係合がより強固になるようにしている。バッテリハウジング２２は、その右側面２２−１４（図２）及び左側面２２−１５（図１）にそれぞれ設けられたネジ挿通穴２２−１１を通してフレーム２０の右側面２０−１０及び左側面２０−１１にそれぞれ設けられた４つのネジ穴２１にネジ８２（図１）によってフレーム２０に固定される。さらに、右側部分２２−１に設けられた６つのネジ挿通穴２２−１２（図４）を通された細長いネジ（図示せず）を左側部分２２−２に設けられた６つのネジ穴２２−１３（図４）にネジ係合することにより、右側部分２２−１と左側部分２２−２とを直接連結固定するようになっている。このようにバッテリハウジング２２がフレーム２０に対して多くの箇所で固定されるようになっているので、バッテリハウジング２２に大きな力がかかった際にも応力集中が起こりにくくなり、バッテリハウジング２２が破損する危険性が低くなる。
【００２９】
バッテリハウジング２２の上部には取っ手２６が設けられている。この取っ手２６は、図４に示すように、バッテリハウジング２２の右側部分２２−１に形成された右側取っ手部２６−１と左側部分２２−２に形成された左側取っ手部２６−２とからなり、右側部分２２−１と左側部分２２−２とがフレーム２０に取り付けられたときに右側取っ手部２６−１及び左側取っ手部２６−２が一つの取っ手２６（図１）を形成するようになっている。右側取っ手部２６−１と左側取っ手部２６−２は、右側取っ手部２６−１から左側取っ手部２６−２にまで延在する細長いネジ２７（図２）により連結固定されるようになっている。このネジ２７が補強材としても機能して取っ手２６の強度を大きくしている。
【００３０】
図５に示すように、穿孔機本体部１２のバッテリハウジング２２には、その後方上部位置にバッテリ１６を受け入れて取り付けるためのバッテリ収容空間（バッテリ取付部）２８が形成されている。すなわち、バッテリハウジング２２には、右側壁部２８−３と、左側壁部２８−４と、この左右の側壁部の間でフレーム２０の前面壁部２０−１の後側において該前面壁部２０−１から離れて並行に延びる中間壁部２８−１と、左右の壁部２８−３、２８−４の間で中間壁部２８−１の下端縁から後方に延びる底面壁部２８−２とが形成されていて、バッテリ収容空間２８は、これら左右の壁部２８−３、２８−４、中間壁部２８−１、及び、底面壁部２８−２によって、その上部及び後部が開放された状態で画定されている。バッテリ収容空間２８には、中間壁部２８−１の僅か後方で左右両側の位置に上下方向に延びるバッテリガイド２８−５が設けられており、バッテリガイド２８−５と中間壁部２８−１との間にガイド溝２８−６を形成している。このガイド溝２８−６にバッテリ１６の前面１６−１に上下方向に延びるように設けられたガイドレール１６−２（図６）が摺動係合することで、バッテリ１６は上下方向で案内されるようになっている。中間壁部２８−１はさらに、その下方位置に配置された雄型接続端子２８−７と、その上方位置に配置されたバッテリ係止凹部２８−８とを有する。これに対し、バッテリ１６の前面１６−１には、図６に示すように、雌型接続端子１６−５と、前後方向で変位可能とされ（図示しないバネ部材により前方に付勢されているバッテリ係止部１６−４と、が設けられており、当該バッテリ１６がバッテリガイド２８−５に沿ってバッテリ収容空間２８内に装填されたときに、雌型接続端子１６−５が雄型接続端子２８−７と係合してバッテリ１６と駆動制御回路３６とが電気的に接続され、同時に、バッテリ係止部１６−４がバッテリ係止凹部２８−８に嵌合して、バッテリ１６がその位置から上下方向に動かないように保持される。バッテリ係止部１６−４は、その下面が傾斜しており、バッテリ１６がバッテリガイド２８−５に沿って下方に摺動されるときに、この傾斜した下面が、バッテリ係止凹部２８−８の上面壁部２８−９によって押されて当該バッテリ係止部１６−４が後退し、上面壁部２８−９を下方に通過したときにバネ付勢力により前方に押し出され、バッテリ係止凹部２８−８に嵌合されるようになっている。更に、本実施形態では、バッテリ係止部１６−４は、バッテリ１６内を上方に延びて、当該バッテリ１６の上面前方に形成されている傾斜した（後述する）カバー係合面１６−６の幅方向中央部分の開口１６−６ａから同カバー係合面１６−６とほぼ面一にして露出されている傾斜面１６−３部分まで延びており、バッテリ１６をバッテリ収容空間２８から取り外すときは、この傾斜面１６−３を押して当該バッテリ係止部１６−４を後方に変位させるようになっている。バッテリハウジング２２の中間壁部２８−１の上部には前後方向に延びて後ろ向きに開口する上段部２２−１６ａと下段部２２−１６ｂとからなるバッテリカバー収容部２２−１６（図３、４）が形成されており、このバッテリカバー収容部２２−１６にバッテリカバー３０が収容されている。バッテリカバー３０は、図９Ａのような形状を有しており（その詳細は後述する）、バッテリカバー収容部２２−１６内において、バッテリ１６に対して後退した後退位置（図５，図７）とバッテリ１６に対して前進した前進位置（図８）との間で前後方向に摺動可能とされている。
【００３１】
バッテリ１６を穿孔機本体部１２のバッテリ収容空間２８に取り付ける際には、まずバッテリカバー３０を穿孔機本体部１２内に前方に押し込んで図５に示す後退位置にまで移動させ、バッテリ収容空間２８の上部を開放する。そして、バッテリ１６をバッテリ収容空間２８の開放された上部からバッテリ収容空間２８内に下方に向かって挿入する。バッテリ１６はバッテリガイド２８−５により案内されながら下方に移動されてバッテリ収容空間２８に収容される(図７)。このとき穿孔機本体部１２の雄型接続端子２８−７とバッテリ１６の雌型接続端子１６−５とが接続されるとともに、バッテリ１６に設けられたバッテリ係止部１６−４が中間壁部２８−１のバッテリ係止凹部２８−８と係合してバッテリ１６が移動しないように保持され、バッテリ１６がバッテリ収容空間２８に取り付けられる。次に、バッテリカバー３０を穿孔機本体部１２内からバッテリ１６に向かって引き出して図８に示す前進位置にまで移動させる。この前進位置においては、バッテリカバー３０はバッテリハウジング２２の中間壁部２８−１とバッテリ１６の前面１６−１との間にできる上下方向に延びる隙間を上方から覆う位置にあるので、切粉や水などが該隙間に入ることが防止される。従って、それら切粉や水などが接続端子１６−５、２８−７にまで侵入して短絡が生じたりする危険性を低減する。なお、底面壁部２８−２は前方から後方に向かって下方に僅かに傾斜しており、この傾斜によりバッテリ収容空間２８に水が侵入した場合でもその水が自然に排出されるようになっている。また、バッテリ１６の雌型接続端子１６−５は、バッテリ１６がバッテリ収容空間２８に取り付けられた状態において下を向くようになっており、水や埃が中間壁部２８−１との間の隙間から万一侵入してきたとしても雌型接続端子１６−５にまでは到達しにくいようになっている。
【００３２】
バッテリカバー３０は、バッテリ１６に対向する側に傾斜面３０−７を有し、図８の前進位置においては、この傾斜面３０−７がバッテリ１６の上面前方に形成されている傾斜したカバー係合面１６−６（図６、図７）に当接するようになっている。バッテリハウジング２２からのバッテリ１６の取り外しは、バッテリ係止部１６−４の傾斜面１６−３を押して、バッテリ係止部１６−４をバッテリ１６内に収納した状態でバッテリ１６を上方に向かってバッテリ収容空間２８から引き出すことにより行われるが、バッテリカバー３０がこの前進位置にある状態では、バッテリカバー３０が干渉してバッテリ１６を上方に引き出して取り外すことができないようになっている。すなわち、前進位置にあるバッテリカバー３０の一部が、バッテリ１６をバッテリ収容空間２８から上方に引き出してバッテリ収容空間２８から取り外すときの該バッテリ１６の移動経路上に位置しているため、バッテリカバー３０が前進位置にある状態ではバッテリ１６をバッテリハウジング２２からから取り外せなくなっている。バッテリ１６を取り外すには、バッテリカバー３０を穿孔機本体部１２内に押し込んで図７に示す後退位置に移動させた状態で、バッテリ１６を上方に引き出すようにする必要がある。このようにバッテリカバー３０がバッテリ１６の移動を制限することで、バッテリ１６が不用意に外されることを防止している。また、バッテリカバー３０は前進位置においてバッテリ１６の傾斜部１６−３を覆って傾斜部１６−３を押せないようにしており、これによってバッテリカバー３０が前進位置にあるときにはバッテリ係止部１６−４のバッテリ係止凹部２８−８との係合を解除できないようになっている。
【００３３】
本実施形態におけるこのようなバッテリカバー３０は、図９Ａ、９Ｂに示すように、当該穿孔機１０の前後方向で見て前方（図で見て左側）に位置する幅の狭い摺動部３０−１と、この摺動部３０−１の後方（図で見て右側）に連接し該摺動部３０−１よりも幅広とされたカバー部３０−２とからなるＴ字状のバッテリカバー本体部３０−３を有する。バッテリカバー本体部３０−３のカバー部３０−２には、その両端部分に前方に向かって延びるアーム部３０−４が形成されており、このアーム部３０−４の先端には外向きに突出した凸状の係止部３０−５が形成されている。摺動部３０−１の下面には、後述するリミットスイッチ３２と係合するスイッチ係合突起部３０−６が形成されている。このバッテリカバー３０は樹脂等の弾性材料により一体の部材として形成されていて、細長く伸びるアーム部３０−４が弾性変形して、その先端部の係止部３０−５が左右方向（図で見て上下方向）に変位するように構成されている。この左右方向に変位可能な係止部は、図１０に示すように、バッテリカバー３０が後退位置にあるときには、バッテリハウジング２２のバッテリカバー収容部２２−１６の側面に形成された凹状の第１受部２２−１７と係合してバッテリカバー３０が不用意に移動することを抑止する。図１０の状態からバッテリカバー３０を前進位置に向けてある程度以上の力で引き出すと、アーム部３０−４が弾性変形して係止部が内側に変位し係止部３０−５の第１受部２２−１７との係合が解除され、バッテリカバー３０は前進位置に向けて移動できるようになる。バッテリカバー３０が前進位置にまで移動すると、図１１に示すように、係止部３０−５は、バッテリカバー収容部２２−１６の側面に形成された凹状の第２受部２２−１８と係合してバッテリカバー３０が不用意に移動することを抑止する。図１１の状態からバッテリカバー３０を後退位置に向けてある程度以上の力で押し込むと、アーム部３０−４が弾性変形して係止部３０−５が内側に変位し係止部３０−５の第２受部２２−１８との係合が解除され、バッテリカバー３０は後退位置に向けて移動できるようになる。このようにバッテリカバー３０の係止部３０−５とバッテリハウジング２２の第１受部２２−１７又は第２受部２２−１８とが係合することにより、バッテリカバー３０は後退位置又は前進位置に係止されて動きが抑止されるので、例えば穿孔加工時の振動等により、バッテリカバー３０が不用意に移動してしまうことが防止される。なお、本実施形態に係るバッテリカバー３０においては、バッテリカバー３０の係止部３０−５が凸状で、バッテリハウジング２２の第１受部２２−１７及び第２受部２２−１８が凹状となっているが、バッテリカバー３０の係止部３０−５が凹状で、バッテリハウジング２２の第１受部２２−１７及び第２受部２２−１８が凸状となるように構成してもよい。また、バッテリカバー３０の係止部３０−５を左右方向で変位しないように構成し、その代わりにバッテリハウジング２２の第１受部２２−１７及び第２受部２２−１８を左右方向で変位可能に構成することによっても同様な機能を有するようにすることができる。しかしながら、弾性変形する部分は他の部分に比べて破損する可能性が高いので、仮に破損してしまった場合のことを考えると、交換が容易に行えるバッテリカバー３０に弾性変形する部分を設けておいた方が、修理が容易となり望ましい。
【００３４】
図１２に示す別の実施形態に係るバッテリカバー１３０は、係止部１３０−５を有するアーム部１３０−４が連結部１３０−６に連結されて全体としてコ字状のバッテリカバー係止部材１３０−７とされて、摺動部１３０−１とカバー部１３０−２とからなるバッテリカバー本体部１３０−３とは別体とされている点において、上述の図９Ａ、９Ｂに示すバッテリカバー３０と異なる。バッテリカバー係止部材１３０−７はバネ材などの細い部材を屈曲させて形成されている。このバッテリカバー係止部材１３０−７は、バッテリカバー本体部１３０−３の下面に形成されている開口からバッテリカバー本体部１３０−３内に取り付けられるようになっており、バッテリカバー本体部１３０−３に取り付けられた状態でアーム部１３０−４の先端の係止部１３０−５がバッテリカバー本体部１３０−３の摺動部１３０−１から側方に突出するようになっている。この突出した係止部１３０−５がバッテリハウジング２２の第１受部２２−１７及び第２受部２２−１８と係合することにより、図９Ａ、９Ｂのバッテリカバー３０と同様に当該バッテリカバー１３０の位置を後退位置と前進位置とに係止しておくことができるようになる。当該バッテリカバー１３０においては、弾性変形するアーム部１３０−４を構成するバッテリカバー係止部材１３０−７がバッテリカバー本体部１３０−３とは別体となっているので、比較的に破損が置きやすいアーム部だけを耐久性の高い金属材料等で構成することができ、樹脂で一体に形成されたものに比べてアーム部１３０−４の耐久性を高くして破損する可能性を低減させることが可能となる。なお、当該バッテリカバー１３０における係止部１３０−５の位置は図９Ａ、９Ｂのバッテリカバー３０の係止部３０−５の位置よりも左右方向で内側に寄っているため、対応するバッテリハウジング２２のバッテリカバー収容部２２−１６の側壁は図１０及び図１１に示すものよりも内側に寄った位置となる。
【００３５】
図１３に示すさらに別の実施形態にかかるバッテリカバー２３０は、バッテリカバー本体部２３０−３の後面から前方に向かって延在して途中で終端するスプリング保持孔２３０−８を備えている。当該バッテリカバー２３０は、図１４に示すように、スプリング保持孔２３０−８にスプリング８４が設定され、このスプリング８４がスプリング保持孔２３０−８の終端面２３０−９とバッテリハウジング２２のバッテリカバー収容部２２−１６の前面壁２２−１９との間で圧縮された状態で、バッテリカバー収容部２２−１６内に取り付けられるようになっている。圧縮されたスプリング８４は、バッテリカバー２３０を後退位置から前進位置に向かう方向に付勢する。当該バッテリカバー２３０は、スプリング８４の付勢力により前進位置に保持されるので、上述の他の実施形態に係るバッテリカバー３０、１３０のような係止部３０−５、１３０−５を有するアーム部３０−４、１３０−４を備えていない。しかしながら、当該バッテリカバー２３０においても、他の実施形態に係るバッテリカバー３０、１３０のような係止部３０−５、１３０−５を有するアーム部３０−４、１３０−４を備えるようにして、バッテリカバー２３０が後退位置と前進位置に保持されるようにすることもできる。
【００３６】
図３から分かるように、フレーム２０とバッテリハウジング２２との間に形成される内部空間２４の上方に位置する上方内部空間２４−１にはリミットスイッチ３２が設けられている。このリミットスイッチ３２は、バッテリカバー３０のバッテリハウジング２２内に位置する部分に下方に突出するように設けられたスイッチ係合突起部３０−６と係合して、バッテリカバー３０が後退位置と前進位置との間で移動したときにスイッチ係合突起部３０−６によってＯＮ／ＯＦＦが切り替えられるように配置されている。具体的には、バッテリカバー３０がバッテリ１６側に突出して前進位置にあるときにはスイッチ係合突起部３０−６がリミットスイッチ３２を押してＯＮにし、前進位置から後退してバッテリハウジング２２内に退避した後退位置に向かって移動したときにはリミットスイッチ３２がＯＦＦに切り替わるようになっている。このリミットスイッチ３２は下方内部空間２４−２に配置された駆動制御回路３６に接続されていてバッテリカバー３０が後退位置と前進位置との間で移動したことを検知するバッテリカバー位置検出手段として機能する。このような構成により、バッテリ１６が正しく装着されているか、また、バッテリ１６が外せる状態になっていないか等を監視することが可能となり、例えば、リミットスイッチ３２がＯＦＦになっていてバッテリカバー３０が前進位置にない状態ではモータ４８を駆動できなくしたり、モータ４８の駆動中にリミットスイッチ３２がＯＦＦになった場合にはモータ４８を減速又は停止させたりするような安全措置をとることができる。なお、バッテリカバー３０のスイッチ係合突起部３０−６は、バッテリハウジング２２の左側部分２２−２におけるバッテリカバー収容部２２−１６の下段部２２−１６ｂを構成する場所に設けられた開口部２２−１６ｃ（図１７）を通して下方に延在してリミットスイッチ３２と係合するようになっている。また、スイッチ係合突起部３０−６は、バッテリカバー３０が前進位置にあるときに開口部２２−１６ｃの後端面２２−１６ｄに当接して、バッテリカバー３０の移動範囲を制限するとともにバッテリカバー３０がバッテリカバー収容部２２−１６から外れないようにもしている。このような構造は他の実施形態に係るバッテリカバー１３０，２３０においても同様に設けられている。
【００３７】
バッテリハウジング２２とフレーム２０との間に形成される内部空間２４内の上部に位置する上方内部空間２４−１には、上述のリミットスイッチ３２に加えて、ＬＥＤ表示回路３４も配置されている。このＬＥＤ表示回路３４は駆動制御回路３６に接続されていて、駆動制御回路３６からの信号に基づいて当該穿孔機１０の状態をバッテリハウジング２２の上部のＬＥＤ表示部３３（図１）に表示するようになっている。ＬＥＤ表示回路３４は緑、黄、赤のＬＥＤを有し、これらＬＥＤの点滅状態により、作業者にバッテリ１６の残量やモータ４８への負荷の程度を知らせる。また、モータ４８の駆動中にバッテリカバー３０が前進位置から後退してリミットスイッチ３２がＯＦＦになったときなどのように、異常が発生したと判断された場合には作業者に警告を行うようにもなっている。なお、緑、黄、赤の別個のＬＥＤの代わりに、１つの素子としてパッケージングされて異なる色を発光できる１つのＬＥＤを使用するようにしてもよい。
【００３８】
ＬＥＤ表示回路３４及びリミットスイッチ３２と駆動制御回路３６との間は、それぞれ、収縮チューブ等で覆われた配線３５により電気的に接続されている。バッテリハウジング２２には、駆動制御回路３６とＬＥＤ表示回路３４及びリミットスイッチ３２との間の位置に仕切り板３８が設けられており、駆動制御回路３６が配置される下方内部空間２４−２をＬＥＤ表示回路３４及びリミットスイッチ３２が配置される上方内部空間２４−１から分離している。具体的には、図４に示すように、バッテリハウジング２２の右側部分２２−１に設けられた右側仕切り板３８−１と左側部分２２−２に設けられた左側仕切り板３８−２とがその間にＬ字状の開口部を形成するように対向し、該開口部にＬ字状のシール部材３９が密封係合するように取り付けられた構造となっている。シール部材３９の中央部には配線挿通穴３９−１が形成されており、この配線挿通穴３９−１にＬＥＤ表示回路３４及びリミットスイッチ３２に接続された配線３５が通されて密封されるようになっている。仕切り板３８は後方から前方に向かって下方に傾斜するように設けられている。また上方内部空間２４−１に位置するフレーム２０の前面壁部２０−１の部分には排水口８０が形成されている。上方内部空間２４−１は、バッテリハウジング２２の外部に突出するバッテリカバー３０を摺動可能に受け入れているバッテリカバー収容部２２−１６と連通しているので、外部に対して密封されていない。したがって、外部から雨等の水が浸入する虞がある。しかし、上述のような傾斜した仕切り板３８と排水口８０とを有する構造により、上方内部空間２４−１に水が浸入した場合でも、その水を排水口８０から外部に排出して駆動制御回路３６が位置する下方内部空間２４−２には水を浸入させないようになっている。これにより、駆動制御回路３６が水に濡れて故障することを防止できる。また、フレーム２０の下面壁部２０−２の上面は前方から後方に向かって下方に傾斜するようになっており、万一、下方内部空間２４−２に水が侵入した場合でも、下面壁部２０−２の後端に設けられた排水溝２０−１３から外部に水が排出されるようになっている。
【００３９】
図３に示すように、フレーム２０の前面壁部２０−１の前面には穿孔駆動部１４が取り付けられている。この穿孔駆動部１４の下部には、ドリルや環状カッターなどの穿孔工具４４がアーバ４０に装着されて保持されている。アーバ４０は、穿孔駆動部１４の内部の減速機４５を介して穿孔駆動部１４のモータカバー４６内に設けられたモータ４８に連結されている。このモータ４８を駆動することで穿孔工具４４が回転駆動される。図１等に示すように、モータカバー４６の側面５０には複数の通気孔５２が設けられており、該通気孔５２から内部に流入する空気によりモータ４８を冷却するようになっている。通気孔５２を上面５４ではなく側面５０に設けているのは、水や切粉、粉塵等のゴミができるだけモータカバー４６の内部に入らないようにするためである。穿孔駆動部１４の左側面には、切削油の注入口となるプラグ５６が設けられており、該プラグ５６にホース付のワンタッチ式ソケットを取り付けることで、穿孔加工中の穿孔工具４４に切削油を供給するようになっている。
【００４０】
フレーム２０の前面壁部２０−１の前面には、図１５に示すように、その左右両側に上下方向に延びるアリ溝６２が形成されている。一方、穿孔駆動部１４には、図１６に示すように、その左右両側縁が、アリ溝６２の形状に対応する形状とされたスライダ６３が設けられている。このスライダ６３にはラック６４（図１６）が設けられ、フレーム２０にはラック６４に係合するピニオン６５（図１５）が設けられており、フレーム２０の右側面２０−１０（図２）に突出しているシャフト２３−１の端部に取り外し可能に取り付けられた送りハンドル６６を手動で回転させることでピニオン６５を回転させて穿孔駆動部１４をフレーム２０に対して上下動させるようになっている。なお、この送りハンドル６６はフレーム２０の左側面２０−１１から突出するシャフト２３−１の端部に取り付けることもでき、状況に応じて左右どちらにでも取り付けられるようになっている。
【００４１】
穿孔駆動部１４のモータ４８から延びる配線６８は、アリ溝６２とスライダ６３に形成された配線挿通路６９（図１５、１６）を通って、図３に示すように穿孔機本体部１２の内部空間２４内に至り駆動制御回路３６に接続されていて、外部にはほとんど露出しないようになっている。配線６８を外部に露出しないようにすることで、配線６８が引っ掛かるなどして過大な力がかかり配線６８が断線してしまうことを防止している。
【００４２】
穿孔機本体部１２の下方に取り付けられた電磁石式固定部１８は内部の電磁石１８−１に電力を供給することにより磁界を発生し、鉄などの磁性体に磁気吸着して、当該穿孔機１０を固定保持するようになっている。電磁石式固定部１８とフレーム２０との間には位置調整機構５８が設けられており、この位置調整機構５８に着脱可能に取り付けられた位置調整ハンドル６０を回すことにより電磁石式固定部１８に対する穿孔機本体部１２の位置を前後左右に位置調整して、被加工物の穿孔位置を微調整できるようになっている。なお、この位置調整ハンドル６０は位置調整機構５８の右側面に取り付けることもできる。
【００４３】
図１に示すように、バッテリハウジング２２の左側面２２−１５には、電磁石式固定部１８を起動するための電磁石スイッチ７０が設けられている。電磁石スイッチ７０の周囲には壁７２が設けられており、電磁石スイッチ７０が不用意に操作されにくくなっている。電磁石スイッチ７０は後方側（図１で見て左側）の部分を押すとＯＦＦとなるようになっているが、壁７２はその後方側の部分が高くなっており、電磁石スイッチ７０が誤って特にＯＮからＯＦＦに切り替わりにくくなっている。また、図２に示すように、バッテリハウジング２２の右側面２２−１４には、モータ４８を起動するためのモータスイッチ７４が設けられている。このモータスイッチ７４の周囲にも壁７６が設けられており、モータスイッチ７４が不用意に操作されにくくなっている。電磁石スイッチ７０とモータスイッチ７４とをバッテリハウジング２２の左右の異なる側の側面２２−１４、２２−１５に配置することにより、スイッチを配置する場所の確保が容易になり、また内部空間２４内での配線の干渉も小さくなるので、バッテリハウジング２２を小さく設計することが可能となる。また、電磁石スイッチ７０とモータスイッチ７４とを誤って操作することも防止できる。
【００４４】
なお、本実施形態においては、バッテリカバー３０は穿孔機１０の前後方向で直線的に摺動することでバッテリ１６に対する後退位置と前進位置との間で移動するように設けられているが、例えば枢動するようにするなど、他の態様で後退位置と前進位置との間で移動可能に設けるようにしてもよい。また、バッテリカバー３０が前進位置にあるときには、該バッテリカバー３０がバッテリ１６に当接するようになっているが、バッテリ１６に当接せずに該バッテリ１６に近接する位置となるようにしてもよい。さらには、バッテリカバー３０がバッテリ１６を外れないように押さえる機能を有する必要はなく、バッテリ１６をバッテリ収容空間２８から上方に移動させたときにバッテリカバー３０がバッテリ１６に押されて後退位置に移動するように構成されていてもよい。また本実施形態においてはバッテリカバー位置検出手段としてリミットスイッチ２３を採用しているが、光学式のスイッチなどの他の形態のセンサーを利用してバッテリカバー位置検出手段を実現してもよい。
【符号の説明】
【００４５】
穿孔機１０；穿孔機本体部１２；穿孔駆動部１４；バッテリ１６；前面１６−１；ガイドレール１６−２；傾斜面１６−３；バッテリ係止部１６−４；雌型接続端子１６−５；カバー係合面１６−６；開口１６−６ａ；電磁石式固定部１８；電磁石１８−１；フレーム２０；前面壁部２０−１；下面壁部２０−２；右側リブ２０−３；左側リブ２０−４；ハンドル取付用穴２０−８；係合凹部２０−９；右側面２０−１０；左側面２０−１１；排水溝２０−１３；ネジ穴２１；バッテリハウジング２２；右側部分２２−１；左側部分２２−２；係合突起部２２−９；ネジ挿通穴２２−１１；ネジ挿通穴２２−１２；ネジ穴２２−１３；右側面２２−１４；左側面２２−１５；バッテリカバー収容部２２−１６；上段部２２−１６ａ；下段部２２−１６ｂ；開口部２２−１６ｃ；後端面２２−１６ｄ；第１受部２２−１７；第２受部２２−１８；前面壁２２−１９；ギア機構部２３；シャフト２３−１；内部空間２４；上方内部空間２４−１；下方内部空間２４−２；取っ手２６；右側取っ手部２６−１；左側取っ手部２６−２：ネジ２７；バッテリ取付部、バッテリ収容空間２８；中間壁部２８−１；底面壁部２８−２；右側壁部２８−３；左側壁部２８−４；バッテリガイド２８−５；ガイド溝２８−６；雄型接続端子２８−７；バッテリ係止凹部２８−８；上面壁部２８−９；バッテリカバー３０；摺動部３０−１；カバー部３０−２；バッテリカバー本体部３０−３；アーム部３０−４；係止部３０−５；スイッチ係合突起部３０−６；傾斜面３０−７；リミットスイッチ３２；ＬＥＤ表示部３３；ＬＥＤ表示回路３４；配線３５；駆動制御回路３６；仕切り板３８；右側仕切り板３８−１；左側仕切り板３８−２；シール部材３９；配線挿通穴３９−１；アーバ４０；穿孔工具４４；減速機４５；モータカバー４６；モータ４８；側面５０；通気孔５２；上面５４；プラグ５６；位置調整機構５８；位置調整ハンドル６０；アリ溝６２；スライダ６３；ラック６４；ピニオン６５；送りハンドル６６；配線６８；配線挿通路６９；電磁石スイッチ７０；壁７２；モータスイッチ７４；壁７６；排水口８０；ネジ８２；スプリング８４；バッテリカバー１３０；摺動部１３０−１；カバー部１３０−２；バッテリカバー本体部１３０−３；アーム部１３０−４；係止部１３０−５；連結部１３０−６；バッテリカバー係止部材１３０−７；バッテリカバー２３０；バッテリカバー本体部２３０−３；スプリング保持孔２３０−８；終端面２３０−９
【図１】
2014231118.tif 000003
【図２】
2014231118.tif 000004
【図３】
2014231118.tif 000005
【図４】
2014231118.tif 000006
【図５】
2014231118.tif 000007
【図６】
2014231118.tif 000008
【図７】
2014231118.tif 000009
【図８】
2014231118.tif 000010
【図９Ａ】
2014231118.tif 000011
【図９Ｂ】
2014231118.tif 000012
【図１０】
2014231118.tif 000013
【図１１】
2014231118.tif 000014
【図１２】
2014231118.tif 000015
【図１３】
2014231118.tif 000016
【図１４】
2014231118.tif 000017
【図１５】
2014231118.tif 000018
【図１６】
2014231118.tif 000019
【図１７】
2014231118.tif 000020